(57)【要約】  本発明は、移動通信システムにおける符号化データシンボルをリソースにマッピングする方法及び装置を提供する。ユーザーデータ又は制御情報を含む一連の信号を複数の並列信号に変換する直／並列変換器と、直／並列変換器から出力される複数の並列信号に離散フーリエ変換(ＤＦＴ)を遂行する離散フーリエ変換器と、直／並列変換器から出力される複数の並列信号のうち、リソースブロックに含まれたリソースのうち、制御チャンネルがマッピングできる最大使用可能リソースに制御チャンネルがマッピングされ、制御チャンネルがマッピングできる最大使用可能リソースを除いた残りのリソースにデータシンボルがマッピングされるように離散フーリエ変換器を制御する制御器と、離散フーリエ変換器から出力される信号をサブキャリアに割り当てるサブキャリアマッパと、サブキャリアマッパから出力される信号を無線信号に変換する無線周波数(ＲＦ)処理部とを含む。
2010528554.tif 000002
【特許請求の範囲】
【請求項１】
移動通信システムにおいて、送信器によって、データ及び制御情報を受信して制御チャンネル伝送のためのシンボル及びデータ符号化シンボルを生成してリソースにマッピングする方法であって、
リソースブロックに含まれたリソースのうち、制御チャンネルがマッピングできる最大使用可能リソース内に制御チャンネルをマッピングする段階と、
前記制御チャンネルがマッピングできる最大使用可能リソースを除き、残りのリソースにデータシンボルをマッピングする段階と、
を備えることを特徴とする方法。
【請求項２】
前記制御チャンネルがマッピングできる最大使用可能リソースの中で使用されないリソースにデータシンボルをマッピングする段階をさらに備えることを特徴とする請求項１に記載の方法。
【請求項３】
前記制御チャンネルをマッピングする段階は、
前記制御チャンネルをリソースに順方向にマッピングすることを特徴とする請求項２に記載の方法。
【請求項４】
前記データシンボルをマッピングする段階は、
前記リソースの最終位置から逆方向にデータシンボルをマッピングすることを特徴とする請求項３に記載の方法。
【請求項５】
前記データシンボルをマッピングする段階は、
前記制御チャンネルがマッピングできる最大使用可能リソースの次の位置から順方向にデータシンボルをマッピングすることを特徴とする請求項３に記載の方法。
【請求項６】
前記制御チャンネルをマッピングする段階は、
前記制御チャンネルを分散ベースでマッピングすることを特徴とする請求項１に記載の方法。
【請求項７】
移動通信システムにおける符号化データシンボルをリソースにマッピングする装置であって、
ユーザーデータ又は制御情報を含む一連の信号を複数の並列信号に変換する直／並列変換器と、
前記直／並列変換器から出力される複数の並列信号に離散フーリエ変換(ＤＦＴ)を遂行する離散フーリエ変換器と、
前記直／並列変換器から出力される複数の並列信号のうち、前記リソースブロックに含まれたリソースのうち、制御チャンネルがマッピングできる最大使用可能リソースに制御チャンネルがマッピングされ、前記制御チャンネルがマッピングできる最大使用可能リソースを除いた残りのリソースにデータシンボルがマッピングされるように離散フーリエ変換器を制御する制御器と、
前記離散フーリエ変換器から出力される信号をサブキャリアに割り当てるサブキャリアマッパと、
前記サブキャリアマッパから出力される信号を無線信号に変換する無線周波数(ＲＦ)処理部と、
を含むことを特徴とする装置。
【請求項８】
前記制御器は、前記制御チャンネルがマッピングできる最大使用可能リソースの中で使用されないリソースにデータシンボルをマッピングすることを特徴とする請求項７に記載の装置。
【請求項９】
前記制御器は、前記制御チャンネルを順方向にリソースにマッピングすることを特徴とする請求項８に記載の装置。
【請求項１０】
前記制御器は、前記リソースの最終位置から逆方向に前記データシンボルをマッピングすることを特徴とする請求項９に記載の装置。
【請求項１１】
前記制御器は、前記制御チャンネルがマッピングできる最大使用可能リソースの次の位置から順方向にデータシンボルをマッピングすることを特徴とする請求項９に記載の装置。
【請求項１２】
前記制御器は、前記制御チャンネルを分散ベースでマッピングすることを特徴とする請求項７に記載の装置。
【発明の詳細な説明】
【技術分野】
【０００１】
本発明はハイブリッド自動再送要求(Hybrid Automatic Repeat Request：以下、“ＨＡＲＱ”と称する)方式を使用する移動通信システムに関するもので、特にＨＡＲＱサブパケットの変調シンボルをリソースにマッピングする方法及び装置に関する。
【背景技術】
【０００２】
最近、移動通信システムにおいて、有無線チャンネルで高速データ伝送に適している直交周波数分割多重(Orthogonal Frequency Division Multiplexing：以下、“ＯＦＤＭ”と称する)方式について活発な研究が行われている。ＯＦＤＭ方式は、マルチキャリア(multiple carrier)を用いてデータを伝送する方式として、直列に入力されるシンボルを並列シンボルストリームに変換してこれら各々を複数の直交サブキャリア、又は複数の直交サブキャリアチャンネルに変調して伝送するマルチキャリア変調(Multi-Carrier Modulation：ＭＣＭ)方式の一種である。ＯＦＤＭを基本伝送方式として使用し、かつ複数のサブキャリアを通じてさまざまなユーザーを区分するシステム、換言すれば相互に異なるユーザーに相互に異なるサブキャリアを割り当てることでさまざまなユーザーをサポートするシステムは、一般的に直交周波数分割多重アクセス(Orthogonal Frequency Division Multiplex Access：以下、“ＯＦＤＭＡ”と称する)システムと呼ばれている。
【０００３】
ＨＡＲＱは、パケットベースの移動通信システムにおいてデータ伝送の信頼度及びデータスループット(throughput)を増加させるために使用される重要な技術である。ＨＡＲＱは、自動再送要求(Automatic Repeat Request：ＡＲＱ)と順方向誤り訂正(Forward Error Correction：ＦＥＣ)とを組み合わせた技術を称する。
ＡＲＱは、有無線データ通信システムで幅広く使用されている技術である。この技術において、データ送信器は、所定の規則によって伝送データパケットにシーケンス番号を割り当てて伝送し、データ受信器は、シーケンス番号で受信されたパケットのうち、欠けているシーケンス番号に対応するパケットに対する再伝送要求を上記送信器に送ることによって、信頼性のあるデータ伝送を実現する。
ＦＥＣは、畳み込み符号化又はターボ符号化のように所定の規則に従って伝送データに冗長ビットを加えて伝送し、データ送受信プロセスで発生する雑音(noise)又はフェージング(fading)環境で生成される誤りを克服して本来伝送されたであろうデータの復調を可能にする技術である。
【０００４】
これら２つの技術、すなわちＡＲＱ及びＦＥＣが結合されたＨＡＲＱを使用するシステムにおいて、データ受信器は、受信されたデータに所定の逆ＦＥＣプロセスを遂行することによって復号されたデータに対してＣＲＣ(Cyclic Redundancy Check)を遂行し、復号されたデータに誤りがあるか否かを判定する。その結果、誤りがないと、上記受信器は、送信器にＡＣＫ(Acknowledgement)をフィードバックし、それによって送信器は次のデータパケットを伝送する。しかしながら、データに誤りがあると、受信器は、送信器にＮＡＣＫ(Non-Acknowledgement)をフィードバックし、それによって送信器は以前に伝送されたパケットを再伝送する。受信器は、再伝送されたパケットを以前に伝送されたパケットと組み合わせてエネルギー利得を得る。その結果、ＨＡＲＱは、組み合わせプロセスを使用しない従来のＡＲＱに比べて、一層改善された性能を獲得する。
【０００５】
図１は、ＨＡＲＱ方式を示す図である。図１で、横軸は時間ドメインを表し、‘データチャンネル’はデータパケットが伝送されるチャンネルを表す。
図１を参照すると、パケットデータの初期伝送１０１に伴って、受信器は、このデータを受信すると、初期伝送パケット１０１に対して復調を試し、復調プロセスでデータチャンネル１０１に対する受信誤りがあるか否かを判定する。データ伝送に対する復調が成功的に実現されていないと判断される場合には、受信器は、ＮＡＣＫ１０２をデータ送信器にフィードバックする。誤りの有無は、ＣＲＣ検査を通じて判定されることができる。ＮＡＣＫ１０２が受信される場合に、データ送信器は、初期伝送１０１に対するパケットデータ再伝送１０３を遂行する。ここで、同一の情報が伝送されても、冗長は、相互に異なる符号化シンボル(coded symbol)となり得る。
【０００６】
ここで、同一のデータパケットを伝送するデータ伝送１０１，１０３，１０５は、“サブパケット”と称す。第１のデータ再伝送１０３を受信すると、データ受信器は、この第１のデータ再伝送１０３に対して、所定の規則に従って受信された初期伝送データ１０１との組み合わせ(combining)を遂行し、その組み合わせの結果によってデータチャンネルの復調を試みる。データチャンネルのＣＲＣ検査を通じてデータ伝送に対する復調が失敗したと判定されると、受信器は、ＮＡＣＫ１０４をデータ送信器に更にフィードバックする。
ＮＡＣＫ１０４を受信した場合に、データ送信器は、第１の再伝送１０３の時点から所定時間の経過後に、第２のパケットデータ再伝送１０５を遂行する。すなわち、初期パケット伝送１０１、第１のパケット再伝送１０３、及び第２のパケット再伝送１０５のデータチャンネルは、すべて同一の情報を伝送する。
【０００７】
第の２のパケット再伝送１０５を通じてデータを受信すると、受信器は、初期伝送１０１、第１の再伝送１０３、及び第２の再伝送１０５をすべて所定の規則に従って組み合わせを遂行し、データチャンネルの復調を遂行する。データチャンネルに対するＣＲＣ検査を通じてデータ伝送に対する復調が成功したと判定されると、データ受信器は、ＡＣＫ１０６をデータ送信器にフィードバックする。
ＡＣＫ１０６を受信した場合に、データ送信器は、次のデータ情報、すなわち第２のデータパケットに対する初期伝送サブパケット１０７を制御チャンネルと共に伝送する。
“サブパケット生成(又はサブパケット構成)”は、与えられたデータパケットを所定の手順に従って符号化した後に、符号化シンボルの一部又は全体を選択して各サブパケットを生成するプロセスを示す。多様なサブパケット生成方法が可能であるが、ここでは、循環バッファ(circular buffer)に基づいたサブパケット生成方法を例に挙げて説明する。
【０００８】
図２は、循環バッファに基づいたサブパケット生成の例を示す図である。図２を参照すると、一つのコードブロック２０１は、送信器が与えられた時点で伝送しようとする一つのパケットデータを示す。このコードブロック２０１は、特定のターボエンコーダ２０２に入力され、ターボエンコーダ２０２はＳ２０３、Ｐ１ ２０４、及びＰ２ ２０５の特定の符号化シンボルを出力する。Ｓ２０３、Ｐ１ ２０４、Ｐ２ ２０５は、各々システマチックビット(systematic bit)、パリティビット(parity bit)１、パリティビット２を示す。
Ｓ、Ｐ１、及びＰ２は、各々サブブロックインタリーバ２０６，２０７，２０８を経て最終にインタリービングされたシンボル２０９，２１０を決定する。
【０００９】
図２に示すように、インタリービングされたシンボル２０９，２１０は循環バッファと称され、その理由は、ＨＡＲＱ動作の際に、各サブパケットに対するシンボルの生成は循環バッファで連続したシンボルを選択することで達成され、特定のサブパケットで送るシンボルが循環バッファに転送され、そのシンボルは、循環バッファの開始点で再び選択されるためである。
図２を参照すると、参照符号２１１は初期伝送パケットに対するシンボル生成を表し、参照符号２１２は第１の再伝送パケットに対するシンボル生成を表し、参照符号２１３は第２の再伝送パケットに対するシンボル生成を表す。
図２に示したサブパケット生成方法では、例として、図２の連続しないシンボル２１１〜２１３で隣接サブパケットが生成できるが、このサブパケット生成方法は、連続するシンボルで隣接サブパケットを生成することもできる。
【００１０】
図３は、通常のＯＦＤＭＡシステムのダウンリンクでデータ伝送の伝送時間間隔(Transmission Time Interval：ＴＴＩ)を定義するための基本単位として使用される一つのサブフレームでパイロット、制御情報、及びデータ伝送に対してリソースが割り当てられる具体的な例を示す図である。
図３において、横軸は周波数ドメインを表し、縦軸は時間ドメインを表す。最小の四角形は、一つのＯＦＤＭシンボルに該当する一つのサブキャリアを表し、便宜上、この四角形を“リソース要素(Resource Element：ＲＥ)”と呼ぶ。一例として、図３では周波数ドメインで３６個のサブキャリアのみがあると仮定したが、実際のシステムにはより多くのサブキャリアが存在し得る。
【００１１】
Ｔ１で表示される格子は、送信アンテナ１に対するパイロットシンボル(又は基準信号)が伝送されるＲＥを表す。Ｔ２で表示される格子は、送信アンテナ２に対するパイロットシンボルが伝送されるＲＥを表す。Ｔ３で表示される格子は、送信アンテナ３に対するパイロットシンボルが伝送されるＲＥを表す。Ｔ４で表示される格子は、送信アンテナ４に対するパイロットシンボルが伝送されるＲＥを表す。
リソースブロック３０２は、それぞれリソース割り当ての単位であって、一つのリソースブロックは、周波数ドメインで１２個のサブキャリア及び時間ドメインで1４個のＯＦＤＭシンボル３０１を含む。
図３では合計３６個のサブキャリアを含んでいるため、３個のリソースブロックが存在する。図３において、Ｎ個のＯＦＤＭシンボル３０３に含まれる格子は、制御情報の伝送に使用されるＲＥを示す。ここでは、便宜上、これら格子を“制御チャンネル領域”と称する。
ＯＦＤＭＡシステムにおいて、通常の制御情報は、ダウンリンクリソース割り当て情報、アップリンクリソース割り当て情報、及びアップリンク電力制御情報を含み、詳細制御情報はシステムごとに若干異なることがある。
【００１２】
図３は、制御情報の伝送に時間分割多重化(Time Division Multiplexing：ＴＤＭ)方式を使用するシステムのマッピング図を示す。図３の参照符号３０３で示すように、制御情報は、リソースブロックの最前部のＮ個のＯＦＤＭシンボルを通じて伝送される。この‘Ｎ’値は、一般的に制御情報の量及び制御情報の伝送に使用されるＲＥの個数によって変更される。
図３では‘Ｎ’値が３であるが、これは、サブフレームごとに変わることができ、‘Ｎ’値に関する情報は、サブフレームごとに制御チャンネル領域を通じて伝送される。制御情報の伝送のための制御チャンネル領域の生成後に、図３に示す３個のリソースブロックは、所定のスケジューリングを通じて端末に割り当てられる。例えば、３個のリソースブロックの中で、リソースブロック１は端末１に割り当てられ、リソースブロック２は端末２に割り当てられ、リソースブロック３は端末３に割り当てられる方式で、リソースが割り当てられる。リソースブロックの割り当ては、サブフレームごとに変更されることができ、上記した制御情報のうちの一つであるリソースブロック割り当て情報は、制御チャンネル領域を通じてサブフレームごとに伝送される。
【００１３】
実際に、符号化シンボルがＲＥにロードされる前に変調プロセス(ＱＰＳＫ、１６ＱＡＭなど)を経ることが一般的である。この場合、“符号化データシンボルがリソースにマッピングされる”という表現よりは“変調されたデータシンボルがリソースにマッピングされる”という表現が正しいが、ここでは、便宜上“符号化シンボルがリソースにマッピング(又はロード)される”という表現を使用する。しかしながら、これはデータ変調シンボルがリソースにマッピングされる場合でも同一に適用できることは、当該技術分野では明らかである。
【００１４】
図３を参照すると、参照符号３０４で表示された数字は、一つのサブフレーム内の１４個のＯＦＤＭシンボルを示す。図３で、制御チャンネル領域は、ＯＦＤＭシンボル１，２，３を含み、リソースブロック１が割り当てられた場合に、データシンボルは、リソースブロック１のＯＦＤＭシンボル４から伝送される。
制御シンボルに該当するシンボルのうち、最左の１２個のシンボル、例えばシンボル１〜１２は、各ＯＦＤＭシンボル１〜３でリソースブロック１に該当する１２個のサブキャリアにロードされ、データシンボルは、一つのＯＦＤＭシンボル４でリソースブロック１に該当する１２個のサブキャリアにロードされる。この場合、一つのＯＦＤＭシンボル内のローディング順序(又はシンボルマッピング順序)は多様に定義されることができるが、ここでは、シンボルが正規(regular)順序でサブキャリアにロードされると仮定する。
パイロット伝送に使用されるサブキャリアを含んでいない８個のサブキャリアはＯＦＤＭシンボル５でデータ伝送に使用可能であるため、サブブロックインタリーバ２０６に該当するシンボルの中で、次の８個のシンボル、すなわちシンボル１３〜２０は、ＯＦＤＭシンボル５に順にロードされる。
１２個のサブキャリアがＯＦＤＭシンボル６でデータ伝送に使用可能であるため、サブブロックインタリーバ２０６に該当するシンボルのうち、次の１２個のシンボル、すなわちシンボル２１〜３２は、ＯＦＤＭシンボル６に順にロードされる。同一のプロセスを通じて、サブブロックインタリーバ２０６に該当するシンボルは、リソースブロック１の使用可能なすべてのＲＥに転送される。
【００１５】
上述した従来技術において、基地局が特定のユーザーに、すなわちユーザーに割り当てられたリソースブロックに伝送すべき符号化シンボルをマッピングする方法は、制御チャンネル領域のサイズに従って、すなわち、該当するサブフレームで制御チャンネルの伝送に使用されるＯＦＤＭシンボルの‘Ｎ’値で表示される数に従ってすべてのサブフレームで大きく変わるようになる。したがって、端末で制御チャンネル領域に関する情報の受信中に誤りが発生した場合には、伝送されるデータパケットに対する復調がほとんど不可能であるという問題点があった。
【発明の概要】
【発明が解決しようとする課題】
【００１６】
したがって、本発明は上記した従来技術の問題点を鑑みてなされたものであって、その目的は、送信器がデータ伝送に対して割り当てられたリソースブロックに符号化データシンボルをマッピングする場合に、時変(time-varying)の制御チャンネル領域の誤りに強いマッピング装置及び方法を提供することにある。
【課題を解決するための手段】
【００１７】
上記のような目的を達成するために、本発明の一態様によれば、移動通信システムにおいて、送信器によって、データ及び制御情報を受信して制御チャンネル伝送のためのシンボル及びデータ符号化シンボルを生成してリソースにマッピングする方法を提供する。その方法は、リソースブロックに含まれたリソースのうち、制御チャンネルがマッピングできる最大使用可能リソース内に制御チャンネルをマッピングする段階と、制御チャンネルがマッピングできる最大使用可能リソースを除き、残りのリソースにデータシンボルをマッピングする段階とを備えることを特徴とする。
【００１８】
本発明の他の態様によれば、移動通信システムにおける符号化データシンボルをリソースにマッピングする装置を提供する。その装置は、ユーザーデータ又は制御情報を含む一連の信号を複数の並列信号に変換する直／並列変換器と、直／並列変換器から出力される複数の並列信号に離散フーリエ変換(ＤＦＴ)を遂行する離散フーリエ変換器と、直／並列変換器から出力される複数の並列信号のうち、リソースブロックに含まれたリソースのうち、制御チャンネルがマッピングできる最大使用可能リソースに制御チャンネルがマッピングされ、制御チャンネルがマッピングできる最大使用可能リソースを除いた残りのリソースにデータシンボルがマッピングされるように離散フーリエ変換器を制御する制御器と、離散フーリエ変換器から出力される信号をサブキャリアに割り当てるサブキャリアマッパと、サブキャリアマッパから出力される信号を無線信号に変換する無線周波数(ＲＦ)処理部とを含むことを特徴とする。
【発明の効果】
【００１９】
本発明は、送信器が伝送すべき符号化データシンボルをデータ伝送に割り当てられたリソースブロックにマッピングする場合に、時変の制御チャンネル領域に対する誤りに強いマッピング装置及び方法を提供することで、データ送受信の信頼性を向上させる効果を有する。
【図面の簡単な説明】
【００２０】
【図１】ＨＡＲＱ方式を説明するための図である。
【図２】循環バッファに基づいたサブパケット生成の例を示す図である。
【図３】一般的なＯＦＤＭＡシステムのダウンリンクでリソースが割り当てられる例を示す図である。
【図４】本発明の実施形態により、マッピングされるデータシンボルに対するリソース構造を示す図である。
【図５】本発明の実施形態により、ダウンリンクでの詳細なマッピング方法を示す図である。
【図６】アップリンクで多重アクセス方式のような単一キャリア周波数分割多重アクセス(ＳＣ−ＦＤＭＡ)を使用するシステムにおける送受信器を示すブロック構成図である。
【図７】本発明によって提案されるマッピング方法がアップリンクに適用される送受信器を示すブロック構成図である。
【図８】本発明の実施形態により、リソースマッピング方法を遂行する他の送受信装置を示すブロック構成図である。
【図９Ａ】本発明の第１の実施形態により、制御チャンネル伝送のためのシンボル及び符号化データシンボルがリソースにマッピングされるマッピング順序の方向を示す図である。
【図９Ｂ】本発明の第１の実施形態による制御器によって遂行されるマッピング方法を示すフローチャートである。
【図１０Ａ】本発明の第２の実施形態により、制御チャンネル伝送のためのシンボル及び符号化データシンボルがリソースにマッピングされるマッピング順序の方向を示す図である。
【図１０Ｂ】本発明の第２の実施形態による制御器によって遂行されるマッピング方法を示すフローチャートである。
【図１１Ａ】本発明の第３の実施形態により、制御チャンネル伝送のためのシンボル及び符号化データシンボルがリソースにマッピングされるマッピング順序の方向を示す図である。
【図１１Ｂ】本発明の第３の実施形態による制御器によって遂行されるマッピング方法を示すフローチャートである。
【図１２】移動通信システムにおいて、割り当てられたリソースブロックのデータチャンネル伝送に使用可能なリソースの量が循環バッファで変化する場合に、ＨＡＲＱに対するサブパケットを生成する方法を示す図である。
【図１３】本発明の第４の実施形態による移動通信システムにおけるサブパケットの生成方法を示すフローチャートである。
【図１４】本発明の第４の実施形態による移動通信システムにおけるサブパケットを生成する方法のフローを示す図である。
【図１５】本発明の第５の実施形態による移動通信システムにおけるサブパケットの生成方法を示すフローチャートである。
【図１６】本発明の第５の実施形態による移動通信システムにおけるサブパケットを生成する方法のフローを示す図である。
【図１７】本発明の実施形態によるサブパケットの生成方法を使用する移動通信システムを示すブロック構成図である。
【発明を実施するための形態】
【００２１】
以下、本発明の望ましい実施形態を添付の図面を参照して詳細に説明する。
下記の説明で、本発明に関連した公知の機能又は構成に関する具体的な説明が本発明の要旨を不明瞭にすると判断された場合に、その詳細な説明を省略する。また、後述する用語は、本発明の機能を考慮して定義されたものであって、ユーザー、運用者の意図、又は慣例によって変わることができる。したがって、上記用語は、本明細書の全体内容に基づいて定義されなければならない。
本発明は、一例としてＨＡＲＱデータ送受信に対して具体的に説明されるが、本発明によって提案される方法は、ＨＡＲＱが使用されないシステムにも適用されることも留意しなければならない。
【００２２】
本発明は、一つ以上のリソースブロックに含まれた一部のリソースが制御チャンネル伝送に使用され、残りのリソースがデータ伝送に使用され、制御チャンネル伝送に使用されるリソースの量が時間の経過に従って変化されるシステムで、符号化／変調された伝送データシンボルをデータ伝送に割り当てられたリソースブロックにマッピングする方法を提供する。
特に、本発明は、リソースブロックに含まれたリソースの中で、まず制御チャンネル伝送に使用できないリソースに符号化／変調データシンボルをマッピングし、その後に、制御チャンネルによって使用可能な領域の該当サブフレームで実際には制御チャンネルに使用されないリソースに符号化／変調データシンボルをマッピングする。
【００２３】
図４は、本発明の実施形態によるデータシンボルのマッピングに対するリソース構成を示す図である。
図４の説明は論理的リソースによってなされていることで、論理的リソースが実際に複数のＯＦＤＭシンボルの複数のサブキャリアに物理的にマッピングされる方法は、多様に実現されることができる。本発明は、一例として、図４に一つのリソースブロックがデータ伝送に使用される場合を示しているが、同一の方法が、データが数個のリソースブロックを通じて伝送される場合にも適用されることができる。
【００２４】
図４において、一つのリソースブロックの全体リソース４０２は、論理的に一次元で表現される。参照符号４０３は、一つのリソースブロックで、全体リソース４０２の中から制御チャンネル伝送に使用可能な最大リソースを意味する。すなわち、制御チャンネル伝送のための最大使用可能(available)リソースについては、すべてのリソースが制御チャンネル伝送に使用され、あるいは一部のリソースのみが制御チャンネル伝送に使用されることができる。例えば、全体リソース４０２の個数が１００であると、制御チャンネル伝送に使用されるリソースの個数は、１０，２０，３０のうちの一つであり、制御チャンネルの伝送のための最大使用可能リソース４０３の個数は、３０である。
参照符号４０４は、全体リソース４０２の中で制御チャンネル伝送のために使用できないリソースを表す。この例では、７０個のリソースがこれらリソースに該当する。参照符号４０５は、特定のサブフレームで全体リソース４０２の中で実際に制御チャンネル伝送に使用されるリソースを表す。参照符号４０６は、サブフレームで全体リソース４０２から制御チャンネル伝送に実際に使用されるリソース４０５を引くことによって得られる残りのリソースで、かつ特定のサブフレームで実際にデータチャンネル伝送に使用されるリソースを表す。
【００２５】
符号化データシンボルは、次の実行可能な２つの実施形態で上記したリソースにマッピングされる。
第１の実施形態は、参照符号４０７で示されたように、制御チャンネルによって使用可能なリソースの反対側のリソースから符号化データシンボルのマッピングを始める。
第２の実施形態は、参照符号４０８で示されたように、制御チャンネルに使用可能な最大使用可能リソース４０３の次の位置から符号化データシンボルのマッピングを遂行した後に、参照符号４０９で示されるように、最大使用可能リソース４０３のうち該当サブフレームで実際には制御チャンネル伝送に使用されないリソースに符号化データシンボルをマッピングする。図４に示すように、参照符号４０９によって示されるリソースに対するマッピング順序は、両方向とも可能である。
【００２６】
上述した本発明のマッピング方法によれば、図２に示した各サブパケットの符号化シンボルがリソースブロック内にマッピングされるリソースの位置は、リソースブロックで実際に制御チャンネルに使用されるリソース４０５の位置変化への影響を最大限減少させることができる。より具体的には、符号化データシンボルが制御チャンネル伝送のために割り当てられた最大使用可能リソース４０３以後からマッピングされるため、符号化データシンボルのマッピングリソースの位置及び量は、サブフレームごとに可変する制御チャンネルの伝送に影響を受けない。
さらに、本発明によって提案されるマッピング方法によれば、データ送受信器間のリソースブロック内における特定のサブフレームで実際に制御チャンネル伝送に使用されたリソース４０５に対する誤りがある場合でも、符号化データシンボルがリソースにマッピングされることによってデータ符号化シンボルには誤りが発生せず、それによってデータ復調が成功的に実現されることができる。
【００２７】
図５は、本発明の実施形態によるダウンリンクでの詳細なマッピング方法を示す図である。
図３に示した制御チャンネル伝送に使用可能なリソース数の最大値である‘Ｎ’値が、図５では３であるが、この‘Ｎ’値は、図５に示すサブフレームで１であると仮定する。これは、サブフレームの第１のＯＦＤＭシンボルが制御チャンネル伝送に使用されることを意味する。
【００２８】
第１の実施形態は、図５にも参照符号４０７で示されている。第１の実施形態において、図２に示したサブパケットの符号化シンボルは、図５のサブフレームでＯＦＤＭシンボル１４からリソースにマッピングされ、ＯＦＤＭシンボル１４，１３，１２，…，２の順にマッピングされる。
第２の実施形態は、図５に参照符号４０８及び４０９で示されている。第２の実施形態においては、図２に示したサブパケットの符号化シンボルが、図５のサブフレームで、制御チャンネルに使用されるリソースであるＯＦＤＭシンボル１，２，３以後のＯＦＤＭシンボル４からリソースにマッピングされ、その後に制御チャンネルに使用可能なリソースのうち、サブフレームで実際には制御チャンネル伝送に使用されないリソースであるＯＦＤＭシンボル２，３にマッピングされる。そのマッピング順序について、ＯＦＤＭシンボル４，５，６，…，１３，１４，２，３の順に、あるいはＯＦＤＭシンボル４，５，６，…，１３，１４，３，２の順に符号化シンボルがマッピングされる。
【００２９】
図６は、単一キャリア周波数分割多重アクセス(ＳＣ−ＦＤＭＡ)をアップリンクで多重アクセス方式として使用するシステムにおける送受信装置を示すブロック構成図である。ＳＣ−ＦＤＭＡは、ＰＡＰＲ(Peak-to-Average Power Ratio)を最小化する長所がある多重アクセス方式である。ここで、送受信装置がＳＣ−ＦＤＭＡをアップリンクで多重アクセス方式として使用するシステムについて説明されるが、本発明によって提案されるデータシンボルマッピング方法は類似したシステムにおける送受信装置にも適用可能であることは、当該分野で明らかである。
【００３０】
図６を参照すると、ユーザーデータ又は制御情報は、直／並列(Serial to Parallel：Ｓ／Ｐ)変換器６０１によって複数の並列信号に変換され、離散フーリエ変換器(Discrete Fourier Transform：以下、“ＤＦＴ”と称する)６０３に入力される。ＤＦＴ６０３から出力される信号を受信するサブキャリアマッパ６０４は、サブキャリアマッピングを遂行する。サブキャリアマッパ６０４から出力される信号は、逆高速フーリエ変換器(Inverse Fast Fourier Transformer：ＩＦＦＴ)６０５に入力され、ＩＦＦＴ出力は、並／直列(Parallel to Serial：Ｐ／Ｓ)変換器６０６を通した後にＣＰ挿入器(Cyclic Prefix inserter)６０７によってＣＰが挿入され、送信処理器６０８によって無線で伝送される。
受信器６１０の受信処理器６１１が無線伝送された信号を受信した場合に、ＣＰ除去器６１２は、受信された信号から挿入されたＣＰを除去し、Ｓ／Ｐ変換器６１３は、ＣＰが除去された信号を並列信号に変換する。並列信号は、ＦＦＴ６１４を通じてデマッピング／等化部６１５に入力され、サブキャリアマッピング情報によってデマッピングされた信号を出力する。デマッピングされた信号は、逆離散フーリエ変換器(Inverse Discrete Fourier Transform：ＩＤＦＴ)６１６で逆離散フーリエ変換される。ＩＤＦＴ６１６から出力される信号はＰ／Ｓ変換器６１８に出力される。上記したように、受信器６１０は、送信器６００によって伝送されたデータ及び制御情報を獲得するために、送信器６００の逆信号処理を遂行する。
符号化データシンボルがリソースにマッピングされる上記提案されたマッピング順序は、ＤＦＴ６０３の入力でのリソースマッピングプロセスで決定される。
【００３１】
図７は、本発明によって提案されるマッピング方法がアップリンクに適用される場合に対する送受信器を示すブロック構成図である。より具体的に、図７は、ＳＣ−ＦＤＭＡに基づいた一般的な送受信器を示すブロック構成図であって、制御器７０１，７０２は、上記したように遂行されるようにリソースのマッピング及びデマッピングを制御する。
図８は、本発明の実施形態によるリソースマッピング方法を遂行する他の送受信装置のブロック構成図である。図８を参照すると、ＯＦＤＭ方式による一般的な送受信器であって、制御器８０２，８１７は、上記したように遂行されるように、リソースのマッピング及びデマッピングを制御する。図８に示す残りの構成要素は、図６で詳細に説明されている。
【００３２】
上述したように装置で遂行されるリソースマッピング方法の具体的な実施形態は、図９Ａ〜図１１Ｂを参照して説明される。より詳細には、図９Ａ〜図１１Ｂは、ＳＣ−ＦＤＭＡベースのアップリンクでリソースマッピングプロセスの具体的な実施形態を示す。
図９Ａは、本発明の第１の実施形態により、制御チャンネル伝送のためのシンボルと符号化データシンボルがリソースにマッピングされるマッピング順序の方向を示す図である。図９Ｂは、本発明の第１の実施形態による制御器によって遂行されるマッピング方法を示すフローチャートである。
図９Ｂを参照すると、制御器は、ステップ９１０でデータ及び制御情報を受信し、図９Ａに示すように、ステップ９２０で制御チャンネル９０１を順方向にマッピングする。ここで、“順方向”は、左から右へのマッピング方向を意味し、“逆方向”は、右から左へのマッピング方向を意味する。
その後、制御器は、ステップ９３０で、データ９０２を逆方向にマッピングする。すなわち、図９Ａに示すように、制御チャンネル９０１及び符号化データシンボル９０２は反対方向にマッピングされる。
【００３３】
図１０Ａは、本発明の第２の実施形態により、制御チャンネル伝送のためのシンボル及び符号化データシンボルがリソースにマッピングされるマッピング順序の方向を示す図である。図１０Ｂは、本発明の第２の実施形態による制御器によって遂行されるマッピング方法を示すフローチャートである。
図１０Ｂを参照すると、制御器は、ステップ１０１０でデータ及び制御情報を受信し、図１０Ａに示すように、ステップ１０２０で制御チャンネル１００１を順方向にマッピングする。制御器は、ステップ１０３０で、制御チャンネルのための最大使用可能リソースの以後からデータ１００２を順方向にマッピングする。その後、制御器は、ステップ１０４０で、制御チャンネルのための使用可能リソースのうち、残りのソースにデータシンボル１００５をマッピングする。
【００３４】
図１１Ａは、本発明の第３の実施形態により、制御チャンネル伝送のためのシンボルと符号化データシンボルがリソースにマッピングされるマッピング順序の方向を示す図である。図１１Ｂは、本発明の第３の実施形態による制御器によって遂行されるマッピング方法を示すフローチャートである。
図１１Ｂを参照すると、制御器は、ステップ１１１０でデータ及び制御情報を受信し、図１１Ａに示すように、ステップ１１２０で制御チャンネル１１０１を分散ベースでマッピングする。制御器は、ステップ１１３０で、制御チャンネル１１０１に対する使用可能なリソースを除いたリソースにデータシンボルをマッピングする。その後、制御器は、ステップ１１４０で、制御チャンネルに対する使用可能リソースのうち残りのリソースにデータシンボルをマッピングする。
【００３５】
図１２は、移動通信システムにおいて、循環バッファで割り当てられたリソースブロックのデータチャンネル伝送に使用可能なリソースの量が変化する場合に、ＨＡＲＱのためのサブパケットを生成する移動通信システムの方法を示す図である。図１２を参照すると、参照符号１２０５は循環バッファを表し、参照符号１２１０は、割り当てられたリソースブロック内のすべてのリソースがデータ伝送に使用可能な場合のサブパケットの構成を表す。参照符号１２１１は、循環バッファ１２０５で第１のサブパケットを生成するために選択できる先頭の連続する符号化シンボルを表し、参照符号１２１２は、循環バッファ１２０５で第２のサブパケットを生成するために、第１のサブパケット１２１１の次のシンボルから連続して選択されることができる符号化シンボルを表し、参照符号１２１３は、循環バッファ１２０５で第３のサブパケット１２１３を生成するために、第２のサブパケット１２１２の次のシンボルから連続して選択されることができる符号化シンボルを表す。
【００３６】
参照符号１２２０は、実際に伝送された第１のサブパケットを示す。割り当てられたリソースブロック内のすべてのリソースがデータ伝送に使用可能である場合に、第１のサブパケット１２１１に該当する量の符号化シンボルが伝送できるが、３個のＯＦＤＭシンボル１２２１に該当する符号化シンボルが、実際に該当サブフレームで制御チャンネル伝送に使用される３個のＯＦＤＭシンボル１２２１として第１のサブパケット１２１１から除外されなければならないため、実際に伝送された第１のサブパケット１２２０に該当する量の符号化シンボルは伝送されることができる。参照符号１２２４は、循環バッファ１２０５で実際に伝送される第１のサブパケット１２２０の位置を明確に表す。
【００３７】
第２のサブパケットは、循環バッファ１２０５で第１のサブパケットの終点(end point)からの符号化シンボルを含む。
参照符号１２３０は、実際に伝送された第２のサブパケットを示す。割り当てられたリソースブロック内のすべてのリソースがデータ伝送に使用可能である場合に、第２のサブパケット１２１２に該当する量の符号化シンボルが伝送可能であるが、１個のＯＦＤＭシンボル１２２２に該当する符号化シンボルは、実際に該当サブフレームで制御チャンネル伝送に使用される１個のＯＦＤＭシンボル１２２２として第２のサブパケット１２１２から除外されなければならないため、実際に伝送された第２のサブパケット１２３０に該当する量の符号化シンボルが伝送されることができる。参照符号１２２５は、循環バッファ１２０５で実際に伝送された第２のサブパケット１２３０の位置を明確に示す。
【００３８】
第３のサブパケットは、循環バッファ１２０５で第２のサブパケットの終点からの符号化シンボルを含む。
参照符号１２４０は、実際に伝送された第３のサブパケットを示す。割り当てられたリソースブロック内のすべてのリソースがデータ伝送に使用可能である場合に、第３のサブパケット１２１３に該当する量の符号化シンボルが伝送可能であるが、２個のＯＦＤＭシンボル１２２３に該当する符号化シンボルは、実際に該当サブフレームで制御チャンネル伝送に使用される２個のＯＦＤＭシンボル１２２３として第３のサブパケット１２１３から除外されなければならないため、実際に伝送された第３のサブパケット１２４０に該当する量の符号化シンボルが伝送されることができる。参照符号１２２６は、循環バッファ１２０５で実際に伝送された第３のサブパケット１２４０の位置を明確に示す。
【００３９】
図１２に示すように、割り当てられたリソースブロックで一部のリソースとしてデータ伝送に使用可能なリソースが減少する場合に、循環バッファで以前サブパケットの終点から次のサブパケットを生成することによって符号化性能を最大化することができる。しかしながら、符号化性能を最大化できる方法は、各サブパケットが伝送される度に可変される制御チャンネル伝送に使用されるリソースの量に関する正確な情報を得る場合のみに可能である。すなわち、図１２に示す例において、参照符号１２２１，１２２２，１２２３で示される制御チャンネル伝送に使用されるリソースの量に関する任意の情報に誤りが発生すすると、受信器は、循環バッファで受信されたシンボルを間違った位置にマッピングして復号し、この場合、符号化は成功的に実現されることができない。
上述したように、制御チャンネル伝送に使用されるリソースの量はサブフレームごとに可変的であるため、リソースの量に関する情報は、サブフレームごとに所定の制御チャンネルを通じて伝送される。したがって、受信器が、制御チャンネル伝送に使用されるリソースの量に関する情報をサブフレームごとに正確に受信しない可能性があるので、リソース量の可変情報に対する誤りに強いようにサブパケットを生成する必要がある。
【００４０】
以下、添付の図面を参照して、本発明の実施形態により、循環バッファに基づいてＨＡＲＱのための符号化シンボルを選択してサブパケットを生成する方法及びその移動通信システムについて詳細に説明する。
本発明は、一つ以上のリソースブロックに含まれた一部のリソースが制御チャンネル伝送に使用され、残りのリソースがデータ伝送に使用され、制御チャンネル伝送に使用されるリソースの量が時間の経過に従って変わる移動通信システムにおいて、送受信器間のデータ伝送のための固定リソース量を決定し、この決定された固定のリソース量に基づいて循環バッファに各サブパケットの開始シンボルの位置、又は開始点を定義するものである。固定のリソース量は、実際にサブパケットが伝送される時点でデータ伝送に実際に使用可能なリソース量とは別に定義される。
以下、本発明の説明は、割り当てられたリソースブロックの数が１であると仮定してなされるが、それは、割り当てられたリソースブロックの数が１より大きい場合にも容易に拡張されることができる。
【００４１】
図１３は、本発明の第４の実施形態による移動通信システムにおいてサブパケットを生成する方法を示すフローチャートである。図１３を参照すると、ステップ１３０１で、送信器及び受信器は、割り当てられたリソースブロックに使用可能なＲＥの総個数Ｔのうち、データサブパケットが生成される基になる基準値、又は‘Ｌ’値(Ｌ≦Ｔ)を決定する。例えば、ダウンリンク通信において、送信器は基地局となり、受信器は端末となるため、一つの基地局のすべての端末は、同一の‘Ｌ’値を有し、あるいは端末ごとに異なるＬ値を有することがある。すべての端末が同じ‘Ｌ’値を有する場合に、この‘Ｌ’値は、端末が常に固定した‘Ｌ’値のみを有するように定義され、‘Ｌ’値はシステム情報のブロードキャストシグナリングを通じて変化されるように定義されることができる。しかしながら、すべての端末が異なる‘Ｌ’値を有する場合に、‘Ｌ’値は、各端末に対する所定のシグナリングを通じて決定されることができる。あるいは、‘デフォルト(Default)Ｌ’値は、予め定義され、‘Ｌ’値に対するシグナリングが基地局から伝送されない場合に、端末はデフォルト‘Ｌ’値を使用することができる。
【００４２】
‘Ｌ’値が直接に定義できるが、他のチャンネルのリソース量を定義することによって間接的に定義することもできる。例えば、制御チャンネルに使用されるリソースの量に対する基準値を定義する方式である。例えば、図３に示したシステム構成において、一つのリソースブロックに該当するＲＥの個数は１２×１４＝１６８であり、サブフレームの前部Ｎ＝３であるＲＥが制御チャンネルに使用される場合に、‘Ｌ’値は、‘Ｎ’値に対する基準値を‘２’として決定することによって定義されることができる。この場合、Ｎ＝２であるので、‘Ｌ’値は次のように計算されることができる。一つのリソースブロックで２個のＯＦＤＭシンボルに対応するＲＥの個数は１２×２＝２４であるため、‘Ｌ’値は、１６８から２４を引き、残りのＯＦＤＭシンボルのうちパイロットに使用されるＲＥの個数である１６をその結果からさらに引いて１２８となる。パイロットに使用されるＲＥの個数は一般的に可変的でないので、パイロットに使用されるＲＥの個数は、‘Ｌ’値の計算で考慮されるように定義されることができ、無視されるように定義することもできる。上記したように、制御チャンネルに使用されるリソースの基準値を定義することによって、‘Ｌ’値を決定する方式で基準値を定義する場合に制御チャンネルに使用されるリソースの平均量をその基準値として使用することに効率的である。
上記のように‘Ｌ’値が決定された後に、送信器は、ステップ１３０２で、‘Ｌ’値及びデータ伝送に割り当てられた変調次数(modulation order)Ｍを用いて循環バッファで各サブパケットを構成する第１の符号化シンボルの位置を示す開始点を定義する。一般的に、Ｍは、送信器から受信器にシグナリングされ、‘Ｍ’値はＱＰＳＫ、１６ＱＡＭ、６４ＱＡＭの変調方式に対して各々２、４、６である。
【００４３】
ステップ１３０２の具体的な例について説明する。
‘Ｌ’値が１２８として決定され、‘Ｍ’値が４である場合に、循環バッファで各サブパケットの開始点は０，５１２(＝１２８×４)，１０２４，２０４８などとなる。循環バッファで符号化シンボルのインデックス(indexing)は０から始まると仮定する。上記のように循環バッファで各サブパケットの開始点が定義される場合に、送信器は、ステップ１３０３で、開始点で符号化シンボルから連続した符号化シンボルを用いてサブフレームごとにサブパケットを生成する。
ステップ１３０３で、送信器は、サブフレームごとに割り当てられたリソースブロック内で制御チャンネル伝送及びパイロット伝送に使用されるリソースを除き、実際にデータ伝送に使用可能な個数ＫのＲＥを決定する。例えば、図３に示したシステム構成において、一つのリソースブロックが特定のサブフレームで割り当てられ、サブフレームで‘Ｎ’値が１である場合に、‘Ｋ’値は、(１２×１３)−(４×５)＝１３６となる。この計算は、図３の構成で制御チャンネル及びパイロットに使用されるリソースを除き、すべてのリソースがデータ伝送に使用可能であるという仮定の下になされたが、リソースブロックの一部ＲＥは、実際にはどの目的でも使用されずに、特定目的のために予備される(reserve)ことができる。上記のように‘Ｋ’値が決定された場合に、送信器は、ステップ１３０４で、循環バッファで各サブパケットに対して決定された開始点からＫ×Ｍ個の連続した符号化シンボルで 各サブパケットを生成する。
【００４４】
図１４は、本発明の第４の実施形態により、移動通信システムにおけるサブパケットを生成する方法を示すフローチャートである。本発明の第４の実施形態によって、図１４に参照符号１２０５で示された循環バッファは、図２の説明と同一である。参照符号１２１０〜１２１３で示された部分は、図１２の説明と同一である。参照符号１４０１は、図１３で説明したように、制御チャンネルリソースの量に対する基準値を用いる方法が‘Ｌ’値を定義するために適用される場合に、この基準値に対応する符号化シンボルの量を示す。上記のように、‘Ｌ’値が制御チャンネルの量に対する基準値によって計算される場合に、循環バッファでサブパケットの開始点は、‘Ｌ’値及び‘Ｍ’値に基づいて参照符号１４１１，１４１２，１４１３，１４１４で示されるように定義される。参照符号１４２１，１４２２，１４２３は、実際に各サブフレームに生成されたサブパケットの例を示す。
【００４５】
制御チャンネル伝送に割り当てられるリソースの量１４３１は、第１のサブパケット１４２１が伝送される時点で基準量１４０１より小さいため、第１のサブパケット１４２１を構成する最後の符号化シンボルを示す終点は、第２のサブパケット１４２２の開始点１４１２を超える。すなわち、第２のサブパケット１４２２が伝送される場合に、参照符号１４４１で表されるように、オーバーラッピング(overlapping)が循環バッファで発生する。２個のサブパケットで重複されて伝送される符号化シンボルは、受信器で組み合わせて一つの符号化シンボルに復元される。
制御チャンネル伝送に対して割り当てられたリソースの量１４３２は、第２のサブパケット１４２２が伝送される時点で基準量１４０１より大きいため、第２のサブパケット１４２２の終点は、第３のサブパケット１４２３の開始点１４１３に至ることができない。すなわち、第３のサブパケット１４２３が伝送された場合に、参照符号１４４２で示すように、循環バッファで第２のサブパケット１４２２と第３のサブパケット１４２３との間にギャップ(gap)が発生する。２個のサブパケット間のギャップに対応する符号化シンボルは、受信器で、誤りとして処理され、例えば‘０’に代替され、復号プロセスを通じて復元される。
【００４６】
第４の実施形態によって、サブパケットごとに定められた‘Ｌ’値を設定して開始点を決定する方法に加えて、第５の実施形態によって制御チャンネルのタイプに基づいて開始点を決定することもできる。
アップリンクを通じて伝送される制御チャンネルは、チャンネル品質を示すチャンネル品質インジケータ(Channel Quality Indicator：ＣＱＩ)及びサウンディング(sounding)基準信号(Reference Signal：ＲＳ)のように送信器及び受信器の正確な伝送時間がわかる制御チャンネル(以下、“事前設定(pre-configured)チャンネル”と称する)と、ＡＣＫ／ＮＡＣＫのようにダウンリンク制御チャンネルの受信誤りが発生する場合に受信器は送信器からＡＣＫ／ＮＡＣＫが伝送されると考えるが、送信器が伝送しない状況が発生することのある制御チャンネル(以下、“動的設定(dynamically-configured)チャンネル”と称する)とを含む。
【００４７】
事前設定チャンネルは、制御チャンネルの伝送時点又はリソース情報が上位階層シグナリングを通じて予め設定され、あるいはアップリンクグラントを通じて制御チャンネル伝送を遂行するか否かを決定してこのグラントに誤りが発生すると、アップリンクデータは、伝送されない。したがって、送信器及び受信器によって予想される制御チャンネルの受信時間は、相互に正確に一致する。
したがって、制御チャンネルが事前設定チャンネルである場合に、ノーマルＬ値Ｌ_ｎｏｒｍａｌが存在するとき、Ｌ_ｎｏｒｍａｌ値から事前設定チャンネルの伝送に使用されるリソースの数を引くことによって得られた残りの値は‘Ｌ’値に設定され、制御チャンネルが動的設定チャンネルである場合には、ノーマルＬ値が変更なしに使用される。
より具体的に、Ｌ_ｎｏｒｍａｌ値がノーマルな伝送に使用される‘Ｌ’値であると仮定すると、事前設定チャンネルが伝送された場合に、開始値を決定するために使用される‘Ｌ’値は、次の伝送サブフレームでＬ_ｎｏｒｍａｌ−Ｎとなる。したがって、送信器がＬ_ｎｏｒｍａｌ−Ｎを考慮してサブパケットの開始点を決定すると、ギャップが動的設定チャンネルの伝送中に循環バッファに発生して制御チャンネルによる影響を最小化することができる。
【００４８】
送信器は、事前設定チャンネル及び動的設定チャンネルでＣＱＩ伝送を設定でき、事前設定チャンネルでＣＱＩ伝送と動的設定チャンネルでＣＱＩ伝送が同時に発生する場合に、送信器は、動的設定チャンネルでＣＱＩ伝送を遂行し、あるいは事前設定チャンネルでＣＱＩ伝送を遂行することができる。上記したように、ＣＱＩ伝送が事前設定チャンネルで遂行されると仮定すれば、次の伝送サブフレームでの開始値を全体に割り当てられたＬ_ｎｏｒｍａｌ−Ｎとして決定することができる。開始値は、受信器と送信器との開始値が不一致となることを避けるために、次の伝送サブフレームで全体に割り当てられたＬ_ｎｏｒｍａｌ−Ｎとして決定される。その理由は、送信器が、ＰＤＣＣＨ(Packet Data Control Channel)の誤りによって動的設定チャンネルでＣＱＩ伝送を遂行するよりも、事前設定チャンネルでＣＱＩ伝送を遂行する場合には、受信器及び送信器の開始値の不一致が、動的設定チャンネルの誤りと同一に発生するためである。
より詳細に説明すると、ＣＱＩ伝送が事前設定チャンネルで遂行される時点では、送信器は、ＣＱＩ伝送が事前設定チャンネルで遂行されるか、あるいは動的設定チャンネルで遂行されるかに関係なく、事前設定チャンネルでＣＱＩ伝送によって次のサブフレームの開始値をＬ_ｎｏｒｍａｌ−Ｎとして決定すると、受信器及び送信器の開始値を同一にすることができる。
【００４９】
図１５は、本発明の第５の実施形態による移動通信システムにおけるサブパケットを生成する方法を示すフローチャートである。図１５を参照すると、ステップ１５０１で、送信器及び受信器は、割り当てられたリソースブロックに使用可能なＲＥの総個数Ｔのうち、データサブパケットの生成中にＬ_ｎｏｒｍａｌ値を決定する。このＬ_ｎｏｒｍａｌ値が決定された場合に、送信器は、ステップ１５０２で、事前伝送チャンネルに該当する制御情報が以前伝送で伝送されたか否かを確認し、開始点を決定するために使用される‘Ｌ’値を決定する。‘Ｌ’値は、Ｌ_ｎｏｒｍａｌ−Ｎを用いて決定され、Ｎは、事前設定チャンネルの伝送に使用されるリソースの量を意味する。‘Ｌ’値が決定された場合に、送信器は、ステップ１５０３で、‘Ｌ’値及びデータ伝送に割り当てられた変調次数を用いて、循環バッファでサブパケットを構成する第１の符号化シンボルの位置を示す開始点を定義する。この‘Ｌ’値は、各サブパケットの伝送時に変更されるため、開始点は、以前伝送の開始点Ｓ_ｋ−１に‘Ｌ’値を加算して現在伝送の開始点Ｓ_ｋとして定義される。
ステップ１５０４で、送信器は、サブフレームごとに割り当てられたリソースブロックで、制御チャンネル伝送及びパイロット伝送に使用されるリソースを除き、実際にデータ伝送に使用可能なＲＥの個数Ｋを決定する。
‘Ｋ’値が決定される場合に、送信器は、ステップ１５０５で、循環バッファでサブパケット別に定められた開始点からＫ×Ｍの連続した符号化シンボルで各サブパケットを生成する。
【００５０】
図１６は、本発明の第５の実施形態による移動通信システムにおけるサブパケットを生成する方法のフローを示す。本発明の第５の実施形態によって、図１５に参照符号１２０５で示された循環バッファは、図２の説明と同一である。参照符号１２１０〜１２１３で示された部分は、図１２の説明と同一である。参照符号１６０１は、図１５に説明したように、‘Ｌ’値を定義するために事前設定チャンネルを伝送するために使用される符号化シンボルの量を表す。Ｌ_ｎｏｒｍａｌ値は、スケジューリングされたリソースで伝送可能なシンボルの数を表す。
【００５１】
本発明の第５の実施形態による送信器は、各サブパケットの伝送の際に、第１の伝送に対して循環バッファの開始を開始点Ｓ_１ １６０２として設定し、第２の伝送に対しては、以前伝送で事前設定チャンネル情報１６０７が伝送されるので、その該当する量を引いてから開始点をＳ_２ １６０３として設定する。第３の伝送に対して、動的設定チャンネル制御情報１６０８が以前伝送で伝送されたので、送信器は、Ｌ_ｎｏｒｍａｌだけを考慮して開始点をＳ_３ １６０４として設定する。第４の伝送に対して、以前伝送で事前設定チャンネル制御情報１６１１が伝送されたので、送信器は、Ｌ_ｎｏｒｍａｌ値から事前設定チャンネル及び動的設定チャンネルを引いた後に開始点をＳ_４ １６０５として設定する。
上記したように、本発明の第５の実施形態により、送信器が制御チャンネルを考慮してサブパケットの開始点を決定すると、ギャップが、循環バッファで動的設定チャンネルの伝送時のみに発生することで、制御チャンネルによる影響を最小化することができる。
【００５２】
図１７は、本発明の実施形態によるサブパケットの生成方法を使用する移動通信システムを示すブロック構成図である。図１７を参照すると、送信器１７０１は、エンコーダ１７０１と、サブパケット生成器１７０２と、制御器１７０３とを含む。受信器１７３０は、デコーダ１７０６と、制御器１７０７とを含む。エンコーダ１７０１は、所定のデータパケットを符号化し、符号化シンボルを出力する。サブパケット生成器１７０２は、制御器１７０３の制御の下に、符号化シンボルの一部又は全体を選択する。制御器１７０３は、サブパケット生成器１７０２を制御し、それによって図５及び図７に説明したようにサブパケットが生成される。
【００５３】
送受信器チェーン(transceiver chain)１７０４は、例えば、ＯＦＤＭ送受信手順を通じて、サブパケット生成部１７０２から受信器１７３０にサブパケット出力を伝送する。
受信器１７３０において、デコーダ１７０６は、制御器１７０７の制御の下に、受信されたサブパケットを復号し、その復号結果によってＡＣＫ／ＮＡＣＫを送信器１７１０にフィードバックする。制御器１７０７は、循環バッファでそれぞれの受信されたサブパケットの位置が図５及び図７に説明したように決定されるように、デコーダ１７０６を制御する。
送信器１７１０において、受信されたフィードバック情報に基づいて、サブパケット生成器１７０２は、伝送されたデータパケットの再伝送データパケット、すなわち次のサブパケットを生成するか、あるいは新たなデータパケットの初期伝送サブパケットを生成して伝送する。
【００５４】
本発明によって提案されたサブパケットの生成方法において、循環バッファでサブパケット間にオーバーラッピング又はギャップが発生するが、その区間(interval)は相対的に短い。また、各サブパケットの開始点は予め定義されるため、各サブパケットの開始点に対する誤りは発生せず、制御チャンネルのリソース量に関する情報の誤りに強いサブパケットを生成することができる。
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００５５】
６００  送信器
６０１  直／並列（Ｓ／Ｐ）変換器
６０３  離散フーリエ変換器（ＤＦＴ）
６０４  サブキャリアマッパ
６０５  逆高速フーリエ変換器（ＩＦＦＴ）
６０６  並／直列（Ｐ／Ｓ）変換器
６０７  ＣＰ挿入器
６０８  送信前処理器
６１０  受信器
６１１  受信前処理器
６１２  ＣＰ除去器
６１３  直／並列（Ｓ／Ｐ）変換器
６１４  高速フーリエ変換器（ＦＦＴ）
６１５  デマッピング／等化部
６１６  逆離散フーリエ変換器（ＩＤＦＴ）
６１８  並／直列（Ｐ／Ｓ）変換器
【図１】
2010528554.tif 000003
【図２】
2010528554.tif 000004
【図３】
2010528554.tif 000005
【図４】
2010528554.tif 000006
【図５】
2010528554.tif 000007
【図６】
2010528554.tif 000008
【図７】
2010528554.tif 000009
【図８】
2010528554.tif 000010
【図９Ａ】
2010528554.tif 000011
【図９Ｂ】
2010528554.tif 000012
【図１０Ａ】
2010528554.tif 000013
【図１０Ｂ】
2010528554.tif 000014
【図１１Ａ】
2010528554.tif 000015
【図１１Ｂ】
2010528554.tif 000016
【図１２】
2010528554.tif 000017
【図１３】
2010528554.tif 000018
【図１４】
2010528554.tif 000019
【図１５】
2010528554.tif 000020
【図１６】
2010528554.tif 000021
【図１７】
2010528554.tif 000022
【国際調査報告】
2010528554.tif 000023
2010528554.tif 000024